(57)【要約】【課題】スイッチ一体型節電コンセントをスイッチ操作し易い様接続機器正面側で接続した場合の、配線の見映えの悪さと、接続機器から「離れる又は、戻る」度、接続機器ごとにスイッチの「ＯＦＦか、ＯＮ」を判断して操作するわずらわしさと、を解決する。【解決手段】給電用凹形プラグＰ１２〜Ｐ１７からなるタップＴＡＰ１１と、それに接続される給電用凹形プラグＰ１２〜Ｐ１７用切替スイッチＣＳ１１〜ＣＳ１６（「ＯＦＦか、ＲＥＭＯＴＥか、ＯＮ」に給電状態を切替可能、ＲＥＭＯＴＥの場合には一括操作切替スイッチＣＳ１７の「ＯＦＦか、ＯＮ」により、給電が「ＯＦＦか、ＯＮ」に一括操作される）と、前記説明の一括操作切替スイッチＣＳ１７と、からなるリモコンＲＣ１１と、を備え、リモコンＲＣ１１は残しタップＴＡＰ１１だけを接続機器裏面側へ設置できる働きと、通常一括操作切替スイッチＣＳ１７の操作だけで済む働きと、をする。【選択図】図１
2004152740.tif 000002
【特許請求の範囲】
【請求項１】
給電用凹形プラグ（Ｐ１２，Ｐ１３，Ｐ１４，Ｐ１５，Ｐ１６，Ｐ１７）と、増設ユニット（図２，図４）用凹形プラグ（Ｐ１８）と、タップ（ＴＡＰ１１）外箱と、からなるタップ（ＴＡＰ１１）と、
タップ（ＴＡＰ１１）へ電線（Ｗ１１）により接続される受電用凸形プラグ（Ｐ１１）と、
タップ（ＴＡＰ１１）へ電線（Ｗ１２）により接続される給電用凹形プラグ（Ｐ１２，Ｐ１３，Ｐ１４，Ｐ１５，Ｐ１６，Ｐ１７）用切り替えスイッチ（ＣＳ１１，ＣＳ１２，ＣＳ１３，ＣＳ１４，ＣＳ１５，ＣＳ１６）（「ＯＦＦか、ＲＥＭＯＴＥか、ＯＮ」に給電状態を切り替え可能、ＲＥＭＯＴＥの場合には一括操作切り替えスイッチ（ＣＳ１７）の「ＯＦＦか、ＯＮ」により、給電が「ＯＦＦか、ＯＮ」に一括操作される）と、直前記説明の一括操作切り替えスイッチ（ＣＳ１７）と、リモコン（ＲＣ１１）外箱と、からなるリモコン（ＲＣ１１）と、を備える、一括操作スイッチ付き節電リモコンコンセントの基本ユニット（図１，図３）。
【請求項２】
請求項１記載の一括操作スイッチ付き節電リモコンコンセントの基本ユニット（図１，図３）は、切り替えスイッチ（ＣＳ１１，ＣＳ１２，ＣＳ１３，ＣＳ１４，ＣＳ１５，ＣＳ１６）に「ＲＥＭＯＴＥと、ＯＮ」の切り替え時の各接点の導通がオーバーラップするものを備えるとさらに好ましい。
【請求項３】
給電用凹形プラグ（Ｐ１２，Ｐ１３，Ｐ１４，Ｐ１５，Ｐ１６，Ｐ１７）と、切り替えスイッチ（ＣＳ１１，ＣＳ１２，ＣＳ１３，ＣＳ１４，ＣＳ１５，ＣＳ１６）と、の対応記号を備える、請求項２記載の一括操作スイッチ付き節電リモコンコンセントの基本ユニット（図１，図３）（切り替えスイッチ（ＣＳ１１，ＣＳ１２，ＣＳ１３，ＣＳ１４，ＣＳ１５，ＣＳ１６）に後に記入可能な空白銘板を備えるとさらに好ましい）。
【請求項４】
給電用凹形プラグ（Ｐ２２，Ｐ２３，Ｐ２４，Ｐ２５）と、増設ユニット用凹形プラグ（Ｐ２６）と、タップ（ＴＡＰ２１）外箱と、からなるタップ（ＴＡＰ２１）と、
タップ（ＴＡＰ２１）へ電線（Ｗ２１）により接続される増設ユニット（図２，図４）用凸形プラグ（Ｐ２１）と、
タップ（ＴＡＰ２１）へ電線（Ｗ２２）により接続される給電用凹形プラグ（Ｐ２２，Ｐ２３，Ｐ２４，Ｐ２５）用切り替えスイッチ（ＣＳ２１，ＣＳ２２，ＣＳ２３，ＣＳ２４）（「ＯＦＦか、ＲＥＭＯＴＥか、ＯＮ」に給電状態を切り替え可能、ＲＥＭＯＴＥの場合には一括操作切り替えスイッチ（ＣＳ１７）の「ＯＦＦか、ＯＮ」により、給電が「ＯＦＦか、ＯＮ」に一括操作される）と、リモコン（ＲＣ２１）外箱と、からなるリモコン（ＲＣ２１）と、
を備える、一括操作スイッチ付き節電リモコンコンセントの増設ユニット（図２，図４）。
【請求項５】
請求項４記載の一括操作スイッチ付き節電リモコンコンセントの増設ユニット（図２，図４）は、切り替えスイッチ（ＣＳ２１，ＣＳ２２，ＣＳ２３，ＣＳ２４）に「ＲＥＭＯＴＥと、ＯＮ」の切り替え時の各接点の導通がオーバーラップするものを備えるとさらに好ましい。
【請求項６】
給電用凹形プラグ（Ｐ２２，Ｐ２３，Ｐ２４，Ｐ２５）と、切り替えスイッチ（ＣＳ２１，ＣＳ２２，ＣＳ２３，ＣＳ２４）と、の対応記号を備える、請求項５記載の一括操作スイッチ付き節電リモコンコンセントの増設ユニット（図２，図４）（切り替えスイッチ（ＣＳ２１，ＣＳ２２，ＣＳ２３，ＣＳ２４）に後に記入可能な空白銘板を備えるとさらに好ましい）。
【請求項７】
「請求項３と、請求項６」記載の一括操作スイッチ付き節電リモコンコンセントの構成は、
給電用凹形プラグや、給電用凹形プラグ用切り替えスイッチら、の数や、
使用電源の種類や、アースの有無や、
プラグや、切り替えスイッチや、電線や、タップ外箱や、リモコン外箱ら、の種類や、
切り替えスイッチによる電源の「片切りか、両切り」か、の回路差ら、
に制限されるものではない。
【請求項８】
請求項７記載の一括操作スイッチ付き節電リモコンコンセントの各電線（Ｗ１１，Ｗ１２，Ｗ２１，Ｗ２２）は、コネクターにより着脱できる構造であってもよい。
【請求項９】
請求項８記載の一括操作スイッチ付き節電リモコンコンセントは、基本ユニット（図１，図３）の増設ユニット（図２，図４）用凹形プラグ（Ｐ１８）を備えずに、基本ユニットのみで使用する形であってもよい。
【請求項１０】
請求項９記載の一括操作スイッチ付き節電リモコンコンセントの機構は、設備（住宅等）に組み込み使用する形であってもよい。
【発明の詳細な説明】
【０００１】
【発明の属する技術分野】
本発明は、電気機器のむだな消費電力量を最小限にする為に、電源遮断を行う装置に関するものである。
【０００２】
【従来の技術】
従来の節電コンセントは、
数個の給電用凹形プラグと、それと一体構造の一個の一括給電「ＯＦＦ，ＯＮ」スイッチや、同一体構造の給電用凹形プラグごとに対応した数個の給電「ＯＦＦ，ＯＮ」スイッチら、と、タップ外箱と、からなったタップと、
タップへ電線により接続された受電用凸形プラグと、
を備えていた。
【０００３】
又、パワーインジケーターや、電力量計や、ブレーカーや、ノイズカットら、等の機能を備えたものもあった。
【０００４】
【発明が解決しようとする課題】
従来の節電コンセントは、
「一括給電「ＯＦＦ，ＯＮ」スイッチや、数個の給電「ＯＦＦ，ＯＮ」スイッチら、を操作し易い様設置しようとする場合に、接続機器の受電用凸形プラグを接続機器の正面側で接続しなければならず、配線が乱雑になり見映えが悪いという問題点」と、
「給電用凹形プラグごとに対応した数個の給電「ＯＦＦ，ＯＮ」スイッチを備えた節電コンセント（一括給電「ＯＦＦ，ＯＮ」スイッチも備えたものでもよい）へ、多数の電気機器が接続された場合に、その場から「離れる又は、戻る」度、接続機器ごとに給電の「ＯＦＦか、ＯＮ」を判断して操作しなければならず、わずらわしいという問題点」と、
「パワーインジケーターや、大半の種類の電力量計ら、等の電力を消費するものを備えたものは、付加価値が付くので一概に悪いとは言えないが、本当の意味での節電になっているのか、という問題点」と、
があった。
【０００５】
【課題を解決するための手段】
課題を解決するために本発明の節電コンセントは、
給電用凹形プラグ（Ｐ１２，Ｐ１３，Ｐ１４，Ｐ１５，Ｐ１６，Ｐ１７）と、タップ（ＴＡＰ１１）外箱と、からなるタップ（ＴＡＰ１１）（増設ユニット（図２，図４）に関するものは、本説明に不要な為に省略する）と、
タップ（ＴＡＰ１１）へ電線（Ｗ１１）により接続される受電用凸形プラグ（Ｐ１１）と、
タップ（ＴＡＰ１１）へ電線（Ｗ１２）により接続される給電用凹形プラグ（Ｐ１２，Ｐ１３，Ｐ１４，Ｐ１５，Ｐ１６，Ｐ１７）用切り替えスイッチ（ＣＳ１１，ＣＳ１２，ＣＳ１３，ＣＳ１４，ＣＳ１５，ＣＳ１６）（「ＯＦＦか、ＲＥＭＯＴＥか、ＯＮ」に給電状態を切り替え可能、ＲＥＭＯＴＥの場合には一括操作切り替えスイッチ（ＣＳ１７）の「ＯＦＦか、ＯＮ」により、給電が「ＯＦＦか、ＯＮ」に一括操作される）と、直前記説明の一括操作切り替えスイッチ（ＣＳ１７）と、リモコン（ＲＣ１１）外箱と、からなるリモコン（ＲＣ１１）と、を備える。
【０００６】
又、切り替えスイッチ（ＣＳ１１，ＣＳ１２，ＣＳ１３，ＣＳ１４，ＣＳ１５，ＣＳ１６）は、「ＲＥＭＯＴＥと、ＯＮ」の切り替え時の各接点の導通がオーバーラップするものを備えるとさらに好ましい。
【０００７】
又、給電用凹形プラグ（Ｐ１２，Ｐ１３，Ｐ１４，Ｐ１５，Ｐ１６，Ｐ１７）と、切り替えスイッチ（ＣＳ１１，ＣＳ１２，ＣＳ１３，ＣＳ１４，ＣＳ１５，ＣＳ１６）と、の対応記号を備える。
【０００８】
さらに、この節電コンセントの構成は、
給電用凹形プラグや、給電用凹形プラグ用切り替えスイッチら、の数や、
使用電源の種類や、アースの有無や、
プラグや、切り替えスイッチや、電線や、タップ外箱や、リモコン外箱ら、の種類や、
切り替えスイッチによる電源の「片切りか、両切り」か、の回路差ら、
に制限されるものではない。
【０００９】
【発明の実施の形態】
「図１と、図２と、図３と、図４」は、本発明の１つの実施の形態を示すものであり、想定は、電源として日本国内の単相、２線式、ＡＣ１００〔Ｖ〕の商用電源と、本発明により電源遮断される対象接続機器としてＡＶ機器等家電機器と、を使用するものとする。
【００１０】
この装置の基本ユニット（図１，図３）は、
アース極（Ｅ）付き給電用凹形プラグ（Ｐ１２，Ｐ１３，Ｐ１４，Ｐ１５，Ｐ１６，Ｐ１７）と、アース極（Ｅ）付き増設ユニット（図２，図４）用凹形プラグ（Ｐ１８）と、タップ（ＴＡＰ１１）外箱と、からなるタップ（ＴＡＰ１１）と、タップ（ＴＡＰ１１）へ電線（コード）（Ｗ１１）により接続されるアース極（Ｅ）付き受電用凸形プラグ（Ｐ１１）と、
タップ（ＴＡＰ１１）へ電線（コード）（Ｗ１２）により接続されるアース極（Ｅ）付き給電用凹形プラグ（Ｐ１２，Ｐ１３，Ｐ１４，Ｐ１５，Ｐ１６，Ｐ１７）用切り替えスイッチ（ＣＳ１１，ＣＳ１２，ＣＳ１３，ＣＳ１４，ＣＳ１５，ＣＳ１６）（「ＯＦＦか、ＲＥＭＯＴＥか、ＯＮ」に給電状態を切り替え可能、ＲＥＭＯＴＥの場合には一括操作切り替えスイッチ（ＣＳ１７）の「ＯＦＦか、ＯＮ」により、給電が「ＯＦＦか、ＯＮ」に一括操作される）と、直前記説明の一括操作切り替えスイッチ（ＣＳ１７）と、リモコン（ＲＣ１１）外箱と、からなるリモコン（ＲＣ１１）と、
を備える（動作の詳細については、図３の電気回路図を参考にして頂きたい）。
【００１１】
又、切り替えスイッチ（ＣＳ１１，ＣＳ１２，ＣＳ１３，ＣＳ１４，ＣＳ１５，ＣＳ１６）は、「ＲＥＭＯＴＥと、ＯＮ」の切り替え時の各接点の導通がオーバーラップするものを備える。
【００１２】
さらに、アース極（Ｅ）付き給電用凹形プラグ（Ｐ１２，Ｐ１３，Ｐ１４，Ｐ１５，Ｐ１６，Ｐ１７）と、切り替えスイッチ（ＣＳ１１，ＣＳ１２，ＣＳ１３，ＣＳ１４，ＣＳ１５，ＣＳ１６）と、の対応記号と、切り替えスイッチ（ＣＳ１１，ＣＳ１２，ＣＳ１３，ＣＳ１４，ＣＳ１５，ＣＳ１６）に後に記入可能な空白銘板と、を備える。
【００１３】
次に増設ユニット（図２，図４）は、
アース極（Ｅ）付き給電用凹形プラグ（Ｐ２２，Ｐ２３，Ｐ２４，Ｐ２５）と、アース極（Ｅ）付き増設ユニット用凹形プラグ（Ｐ２６）と、タップ（ＴＡＰ２１）外箱と、からなるタップ（ＴＡＰ２１）と、
タップ（ＴＡＰ２１）へ電線（コード）（Ｗ２１）により接続されるアース極（Ｅ）付き増設ユニット（図２，図４）用凸形プラグ（Ｐ２１）と、
タップ（ＴＡＰ２１）へ電線（コード）（Ｗ２２）により接続されるアース極（Ｅ）付き給電用凹形プラグ（Ｐ２２，Ｐ２３，Ｐ２４，Ｐ２５）用切り替えスイッチ（ＣＳ２１，ＣＳ２２，ＣＳ２３，ＣＳ２４）（「ＯＦＦか、ＲＥＭＯＴＥか、ＯＮ」に給電状態を切り替え可能、ＲＥＭＯＴＥの場合には一括操作切り替えスイッチ（ＣＳ１７）の「ＯＦＦか、ＯＮ」により、給電が「ＯＦＦか、ＯＮ」に一括操作される）と、リモコン（ＲＣ２１）外箱と、からなるリモコン（ＲＣ２１）と、
を備える（動作の詳細については、図４の電気回路図を参考にして頂きたい）。
【００１４】
又、切り替えスイッチ（ＣＳ２１，ＣＳ２２，ＣＳ２３，ＣＳ２４）は、「ＲＥＭＯＴＥと、ＯＮ」の切り替え時の各接点の導通がオーバーラップするものを備える。
【００１５】
さらに、アース極（Ｅ）付き給電用凹形プラグ（Ｐ２２，Ｐ２３，Ｐ２４，Ｐ２５）と、切り替えスイッチ（ＣＳ２１，ＣＳ２２，ＣＳ２３，ＣＳ２４）と、の対応記号と、切り替えスイッチ（ＣＳ２１，ＣＳ２２，ＣＳ２３，ＣＳ２４）に後に記入可能な空白銘板と、を備える。
【００１６】
【発明の効果】
以上により本発明は、下記の「作用と、効果」が望める。
【００１７】
増設ユニット用凹形プラグ（Ｐ１８，Ｐ２６）を採用する場合は、
基本ユニット（図１，図３）の一括操作切り替えスイッチ（ＣＳ１７）により、全増設ユニットを一括操作できる増設ユニットの装備を可能とする働きをし、
結果、簡単な操作を維持しつつ、接続機器数の増加に許容電流の範囲内で対応することを可能とする。
【００１８】
又、リモコン（ＲＣ１１，ＲＣ２１）の採用が、
タップ（ＴＡＰ１１，ＴＡＰ２１）の接続機器裏面側へと、リモコン（ＲＣ１１，ＲＣ２１）の接続機器正面側へと、の設置を可能とする働きをし、
結果、配線の見映えを悪くせず全操作スイッチを操作し易い様手元に設置することを可能とする。
【００１９】
又、一括操作切り替えスイッチ（ＣＳ１７）の採用が、
切り替えスイッチ（ＣＳ１１，ＣＳ１２，ＣＳ１３，ＣＳ１４，ＣＳ１５，ＣＳ１６，ＣＳ２１，ＣＳ２２，ＣＳ２３，ＣＳ２４）がＲＥＭＯＴＥの場合に、接続機器への給電の「ＯＦＦか、ＯＮ」の一括操作を可能とする働きをし、
切り替えスイッチ（ＣＳ１１，ＣＳ１２，ＣＳ１３，ＣＳ１４，ＣＳ１５，ＣＳ１６，ＣＳ２１，ＣＳ２２，ＣＳ２３，ＣＳ２４）の採用が、
それが「ＯＦＦか、ＯＮ」により接続機器の給電を「常時ＯＦＦか、常時ＯＮ」にする働きをし、
結果、多数の電気機器が接続されている場合にその場から「離れる又は、戻る」度各接続機器には、給電を常時ＯＦＦにしておきたいものと、給電の「ＯＦＦか、ＯＮ」を切り替えたいものと、給電を常時ＯＮにしておきたいもの（給電をＯＦＦにすると記憶が消えてしまう機器等）と、があるが、それらを毎回判断して操作しなければならずわずらわしいということを解決でき、通常一括操作切り替えスイッチ（ＣＳ１７）の操作だけで済み、操作の軽減を可能とする。
【００２０】
又、パワーインジケーターや、大半の種類の電力量計ら、等の電力を消費するものを全く備えていない場合は、
結果として、パワーインジケーターや、大半の種類の電力量計ら、等には付加価値があるので一概に悪いとは言えないが、本当の意味での節電を可能とする。
【００２１】
又、切り替えスイッチ（ＣＳ１１，ＣＳ１２，ＣＳ１３，ＣＳ１４，ＣＳ１５，ＣＳ１６，ＣＳ２１，ＣＳ２２，ＣＳ２３，ＣＳ２４）にオーバーラップ接点を採用する場合は、
一括操作切り替えスイッチ（ＣＳ１７）がＯＮの場合に「ＲＥＭＯＴＥか、ＯＮ」の切り替え時の接続機器への給電の無遮断を可能とする働きをし、
結果、受電のＯＦＦにより再起動が必要な接続機器の再起動という不要な操作の防止と、受電のＯＦＦからＯＮにより突入電流を生じる接続機器の不要な「電力消費と、劣化」の防止と、を可能とする。
【００２２】
又、給電用凹形プラグ（Ｐ１２，Ｐ１３，Ｐ１４，Ｐ１５，Ｐ１６，Ｐ１７，Ｐ２２，Ｐ２３，Ｐ２４，Ｐ２５）と、切り替えスイッチ（ＣＳ１１，ＣＳ１２，ＣＳ１３，ＣＳ１４，ＣＳ１５，ＣＳ１６，ＣＳ２１，ＣＳ２２，ＣＳ２３，ＣＳ２４）と、の対応記号の採用と、切り替えスイッチ（ＣＳ１１，ＣＳ１２，ＣＳ１３，ＣＳ１４，ＣＳ１５，ＣＳ１６，ＣＳ２１，ＣＳ２２，ＣＳ２３，ＣＳ２４）に後に記入可能な空白銘板を採用する場合と、が、
給電用凹形プラグ（Ｐ１２，Ｐ１３，Ｐ１４，Ｐ１５，Ｐ１６，Ｐ１７，Ｐ２２，Ｐ２３，Ｐ２４，Ｐ２５）と、切り替えスイッチ（ＣＳ１１，ＣＳ１２，ＣＳ１３，ＣＳ１４，ＣＳ１５，ＣＳ１６，ＣＳ２１，ＣＳ２２，ＣＳ２３，ＣＳ２４）と、接続機器と、の対応を明確にする働きをし、
結果、操作性の向上を可能とする。
【００２３】
又、各電線（Ｗ１１，Ｗ１２，Ｗ２１，Ｗ２２）にコネクターを採用する場合は、
各電線（Ｗ１１，Ｗ１２，Ｗ２１，Ｗ２２）の着脱を可能とする働きをし、
結果、壁等にコネクターが通る位の穴を空け、そこに電線を通し設置することを可能とする。
【００２４】
さらに、本発明の機構を設備（住宅等）に組み込み使用するという発想を採用する場合は、
応用使用の範囲を広げる働きをし、
結果、節電を推進させることを可能とする。
【図面の簡単な説明】
【図１】構造図（基本ユニット）
【図２】構造図（増設ユニット）
【図３】電気回路図（基本ユニット）
【図４】電気回路図（増設ユニット）
【符号の説明】
（基本ユニット）
ＴＡＰ１１  タップ
ＲＣ１１  リモコン
Ｐ１１  受電用凸形プラグ
Ｐ１２，Ｐ１３，Ｐ１４，Ｐ１５，Ｐ１６，Ｐ１７  給電用凹形プラグ
Ｐ１８  増設ユニット用凹形プラグ
ＣＳ１１，ＣＳ１２，ＣＳ１３，ＣＳ１４，ＣＳ１５，ＣＳ１６  給電用凹形プラグ（Ｐ１２，Ｐ１３，Ｐ１４，Ｐ１５，Ｐ１６，Ｐ１７）用切り替えスイッチ
ＣＳ１７  一括操作切り替えスイッチ
Ｗ１１，Ｗ１２  電線
Ｅ  アース極
（増設ユニット）
ＴＡＰ２１  タップ
ＲＣ２１  リモコン
Ｐ２１  増設ユニット用凸形プラグ
Ｐ２２，Ｐ２３，Ｐ２４，Ｐ２５  給電用凹形プラグ
Ｐ２６  増設ユニット用凹形プラグ
ＣＳ２１，ＣＳ２２，ＣＳ２３，ＣＳ２４  給電用凹形プラグ（Ｐ２２，Ｐ２３，Ｐ２４，Ｐ２５）用切り替えスイッチ
Ｗ２１，Ｗ２２  電線
Ｅ  アース極
【図１】
2004152740.tif 000003
【図２】
2004152740.tif 000004
【図３】
2004152740.tif 000005
【図４】
2004152740.tif 000006
【手続補正書】
【提出日】平成16年1月9日(2004.1.9)
【手続補正１】
【補正対象書類名】明細書
【補正対象項目名】全文
【補正方法】変更
【補正の内容】
【特許請求の範囲】
【請求項１】複数の給電用凹形プラグを備えたタップと、該タップへ電線により接続される受電用凸形プラグとリモコンとを備え、
該リモコンが、前記複数の給電用凹形プラグに対応してＯＦＦ、ＲＥＭＯＴＥ、ＯＮの３つの給電状態に切り替え可能な複数の給電用凹形プラグ用切り替えスイッチと、
これら給電用凹形プラグ用切り替えスイッチがＲＥＭＯＴＥの場合に、対応する給電用凹形プラグに接続された電気機器への給電状態を一括操作する一括操作切り替えスイッチとを備えていることを特徴とする一括操作スイッチ付き節電リモコンコンセントの基本ユニット。
【請求項２】前記タップが、増設ユニット用凹形プラグを備え、
前記一括操作切り替えスイッチが、前記増設ユニット用凹形プラグを介して接続された増設ユニットの一括操作も可能なものであることを特徴とする請求項１記載の一括操作スイッチ付き節電リモコンコンセントの基本ユニット。
【請求項３】前記複数の給電用凹形プラグ用切り替えスイッチが、ＲＥＭＯＴＥとＯＮとの切り替え時の各接点の導通がオーバーラップするように構成されているものであることを特徴とする請求項１又は請求項２記載の一括操作スイッチ付き節電リモコンコンセントの基本ユニット。
【請求項４】前記タップと、前記リモコンとには、前記複数の給電用凹形プラグと、前記複数の給電用凹形プラグ用切り替えスイッチとの対応記号が付されており、
前記リモコンが、前記複数の給電用凹形プラグ用切り替えスイッチ毎に記入可能な空白銘板を備えていることを特徴とする請求項１〜３のいずれかの項に記載の一括操作スイッチ付き節電リモコンコンセントの基本ユニット。
【請求項５】前記受電用凸形プラグ、及び／又は前記リモコンが、前記電線を介して前記タップに着脱可能なものであることを特徴とする請求項１〜４のいずれかの項に記載の一括操作スイッチ付き節電リモコンコンセントの基本ユニット。
【請求項６】複数の給電用凹形プラグを備えたタップと、該タップへ電線により接続される増設ユニット用凸形プラグとリモコンとを備え、
該リモコンが、前記複数の給電用凹形プラグに対応してＯＦＦ、ＲＥＭＯＴＥ、ＯＮの３つの給電状態に切り替え可能な複数の給電用凹形プラグ用切り替えスイッチを備えており、
これら給電用凹形プラグ用切り替えスイッチがＲＥＭＯＴＥの場合に、対応する給電用凹形プラグに接続された電気機器への給電状態が、前記増設ユニット用凸形プラグを介して接続された一括操作スイッチ付き節電リモコンコンセントの基本ユニットの一括操作切り替えスイッチにより一括操作されるものであることを特徴とする節電リモコンコンセントの増設ユニット。
【請求項７】前記タップが、増設ユニット用凹形プラグを備えていることを特徴とする請求項６記載の節電リモコンコンセントの増設ユニット。
【請求項８】前記複数の給電用凹形プラグ用切り替えスイッチが、ＲＥＭＯＴＥとＯＮとの切り替え時の各接点の導通がオーバーラップするように構成されているものであることを特徴とする請求項６又は請求項７記載の節電リモコンコンセントの増設ユニット。
【請求項９】前記タップと、前記リモコンとには、前記複数の給電用凹形プラグと、前記複数の給電用凹形プラグ用切り替えスイッチとの対応記号が付されており、
前記リモコンが、前記複数の給電用凹形プラグ用切り替えスイッチ毎に記入可能な空白銘板を備えていることを特徴とする請求項６〜８のいずれかの項に記載の節電リモコンコンセントの増設ユニット。
【請求項１０】前記受電用凸形プラグ、及び／又は前記リモコンが、前記電線を介して前記タップに着脱可能なものであることを特徴とする請求項６〜９のいずれかの項に記載の節電リモコンコンセントの増設ユニット。
【請求項１１】請求項１〜５のいずれかの項に記載の一括操作スイッチ付き節電リモコンコンセントの基本ユニットが組み込まれていることを特徴とする節電用設備機器。
【発明の詳細な説明】
【０００１】
【発明の属する技術分野】
本発明は、一括操作スイッチ付き節電リモコンコンセントの基本ユニット、節電リモコンコンセントの増設ユニット、及び節電用設備機器に関し、より詳細には、電気機器のむだな消費電力量を最小限にするために、電源遮断を行うことのできる一括操作スイッチ付き節電リモコンコンセントの基本ユニット、節電リモコンコンセントの増設ユニット、及び節電用設備機器に関する。
【０００２】
【従来の技術】
従来の節電コンセントは、数個の給電用凹形プラグと、それと一体構造の一個の一括給電「ＯＦＦ、ＯＮ」スイッチと、同一体構造の給電用凹形プラグごとに対応した数個の給電「ＯＦＦ、ＯＮ」スイッチと、タップ外箱とからなるタップと、タップへ電線により接続された受電用凸形プラグとを備えていた。
【０００３】
又、従来の節電コンセントには、パワーインジケーター、電力量計、ブレーカー、又はノイズカット等の機能を備えたものもあった。
【０００４】
【特許文献１】
特開２００２−１１０３０１号公報
【特許文献２】
特表２００２−５４２５７２号公報
【０００５】
【発明が解決しようとする課題】
しかしながら、従来の節電コンセントは、一括給電「ＯＦＦ、ＯＮ」スイッチや、数個の給電「ＯＦＦ、ＯＮ」スイッチを操作し易い様設置しようとする場合に、接続機器の受電用凸形プラグを接続機器の正面側で接続しなければならず、配線が乱雑になり見映えが悪いという問題があった。
【０００６】
また、給電用凹形プラグごとに対応した数個の給電「ＯＦＦ、ＯＮ」スイッチを備えた節電コンセントや、さらに一括給電「ＯＦＦ、ＯＮ」スイッチを備えた節電コンセントに多数の電気機器が接続された場合、その場から「離れる又は、戻る」度に、接続機器ごとに給電の「ＯＦＦか、ＯＮ」を判断して操作しなければならず、操作がわずらわしいという問題があった。
【０００７】
また、パワーインジケーターや、大半の種類の電力量計等の電力を消費するものを備えた節電コンセントは、付加価値が付くので一概に悪いとは言えないが、余分に電力が消費されるため、本当の意味での節電になっていないという問題があった。
【０００８】
本発明は上記課題に鑑みなされたものであって、配線の見映えを悪くせずに操作スイッチを操作し易い位置に設置することができ、接続される電気機器に応じた電源遮断操作を簡単に行うことができ、節電効果をさらに高めることのできる一括操作スイッチ付き節電リモコンコンセントの基本ユニット、節電リモコンコンセントの増設ユニット、及び節電用設備機器を提供することを目的としている。
【０００９】
【課題を解決するための手段及びその効果】
上記目的を達成するために本発明に係る一括操作スイッチ付き節電リモコンコンセントの基本ユニット（１）は、複数の給電用凹形プラグを備えたタップと、該タップへ電線により接続される受電用凸形プラグとリモコンとを備え、該リモコンが、前記複数の給電用凹形プラグに対応してＯＦＦ、ＲＥＭＯＴＥ、ＯＮの３つの給電状態に切り替え可能な複数の給電用凹形プラグ用切り替えスイッチと、これら給電用凹形プラグ用切り替えスイッチがＲＥＭＯＴＥの場合に、対応する給電用凹形プラグに接続された電気機器への給電状態を一括操作する一括操作切り替えスイッチとを備えていることを特徴としている。
【００１０】
上記一括操作スイッチ付き節電リモコンコンセントの基本ユニット（１）によれば、前記給電用凹形プラグ用切り替えスイッチが、ＯＦＦ、ＲＥＭＯＴＥ、ＯＮの３つの給電状態に切り替え可能なため、ＯＦＦ、又はＯＮの設定により前記電気機器の給電を常時ＯＦＦ、又は常時ＯＮに設定することができる。また、前記一括操作切り替えスイッチにより、前記給電用凹形プラグ用切り替えスイッチがＲＥＭＯＴＥの場合に、前記電気機器への給電のＯＦＦ又はＯＮへの一括操作を行うことができる。
【００１１】
例えば、前記タップに多数の電気機器が接続され、これら電気機器に、給電を常時ＯＦＦにしておきたいものと、その場から離れたり、戻る度に給電をＯＦＦ又はＯＮに切り替えたいものと、給電を常時ＯＮにしておきたいもの（給電をＯＦＦにすると記憶が消えてしまう機器等）とが含まれる場合がある。このような場合、常時ＯＦＦにしておきたい電気機器は、前記給電用凹形プラグ用切り替えスイッチをＯＦＦに、常時ＯＮにしておきたい電気機器は、前記給電用凹形プラグ用切り替えスイッチをＯＮに、給電をＯＦＦ又はＯＮに切り替えたい電気機器は、前記給電用凹形プラグ用切り替えスイッチをＲＥＭＯＴＥに設定しておけば、前記一括操作切り替えスイッチのＯＦＦ又はＯＮへの切り替えにより、前記給電用凹形プラグ用切り替えスイッチがＲＥＭＯＴＥに設定されている給電用凹形プラグに接続されている電気機器への給電のＯＦＦ又はＯＮへの一括操作を行うことができる。
【００１２】
したがって、給電を常時ＯＦＦ、常時ＯＮ、及びその場から離れたり、戻る度に給電をＯＦＦ又はＯＮに切り替えたい電気機器が含まれている場合でも、電気機器ごとに給電の「ＯＦＦか、ＯＮ」を毎回判断して操作しなくても、前記一括操作切り替えスイッチの操作だけで、所望とする電源遮断状態に設定することができ、操作を軽減させることができる。
【００１３】
また、前記電線により前記タップと前記リモコンとが接続されているので、前記タップを接続機器裏面側へ設置し、前記リモコンを接続機器正面側へ設置することが可能となり、配線の見映えを悪くせず全操作スイッチを操作し易い様手元に設置することが可能となる。
【００１４】
また、パワーインジケータや、大半の種類の電力量計等の電力を消費するものを全く備えていないので、電力消費の無駄をなくし、本当の意味での節電が可能となる。
【００１５】
また本発明に係る一括操作スイッチ付き節電リモコンコンセントの基本ユニット（２）は、上記一括操作スイッチ付き節電リモコンコンセントの基本ユニット（１）において、前記タップが、増設ユニット用凹形プラグを備え、前記一括操作切り替えスイッチが、前記増設ユニット用凹形プラグを介して接続された増設ユニットの一括操作も可能なものであることを特徴としている。
【００１６】
上記一括操作スイッチ付き節電リモコンコンセントの基本ユニット（２）によれば、前記一括操作切り替えスイッチにより、前記増設ユニット用凹形プラグを介して接続された全増設ユニットの一括操作も可能となる。その結果、簡単な操作を維持しつつ、許容電流の範囲内で接続機器数の増加に対応することができる。
【００１７】
また本発明に係る一括操作スイッチ付き節電リモコンコンセントの基本ユニット（３）は、上記一括操作スイッチ付き節電リモコンコンセントの基本ユニット（１）又は（２）において、前記複数の給電用凹形プラグ用切り替えスイッチが、ＲＥＭＯＴＥとＯＮとの切り替え時の各接点の導通がオーバーラップするように構成されているものであることを特徴としている。
【００１８】
上記一括操作スイッチ付き節電リモコンコンセントの基本ユニット（３）によれば、前記一括操作切り替えスイッチがＯＮの場合にＲＥＭＯＴＥ又はＯＮへの切り替え時の接続機器への給電の無遮断を可能とし、その結果、受電のＯＦＦにより再起動が必要な接続機器の再起動という不要な操作をなくすことができるとともに、受電のＯＦＦからＯＮにより突入電流を生じる接続機器の不要な電力消費や劣化を防止することができる。
【００１９】
また本発明に係る一括操作スイッチ付き節電リモコンコンセントの基本ユニット（４）は、上記一括操作スイッチ付き節電リモコンコンセントの基本ユニット（１）〜（３）のいずれかにおいて、前記タップと、前記リモコンとには、前記複数の給電用凹形プラグと、前記複数の給電用凹形プラグ用切り替えスイッチとの対応記号が付されており、前記リモコンが、前記複数の給電用凹形プラグ用切り替えスイッチ毎に記入可能な空白銘板を備えていることを特徴としている。
【００２０】
上記一括操作スイッチ付き節電リモコンコンセントの基本ユニット（４）によれば、前記複数の給電用凹形プラグと、前記複数の給電用凹形プラグ用切り替えスイッチと、接続機器との対応を明確にすることができ、結果、操作性を向上させることができる。
【００２１】
また本発明に係る一括操作スイッチ付き節電リモコンコンセントの基本ユニット（５）は、上記一括操作スイッチ付き節電リモコンコンセントの基本ユニット（１）〜（４）のいずれかにおいて、前記受電用凸形プラグ、及び／又は前記リモコンが、前記電線を介して前記タップに着脱可能なものであることを特徴としている。
【００２２】
上記一括操作スイッチ付き節電リモコンコンセントの基本ユニット（５）によれば、例えば、前記電線を介して前記タップに着脱可能なものとして、前記電線にコネクターが適用された場合は、前記電線と前記タップとの着脱が可能となり、結果、壁等にコネクターが通る位の穴を空け、そこに前記電線を通して設置することが可能となる。
【００２３】
また本発明に係る節電リモコンコンセントの増設ユニット（１）は、複数の給電用凹形プラグを備えたタップと、該タップへ電線により接続される増設ユニット用凸形プラグとリモコンとを備え、該リモコンが、前記複数の給電用凹形プラグに対応してＯＦＦ、ＲＥＭＯＴＥ、ＯＮの３つの給電状態に切り替え可能な複数の給電用凹形プラグ用切り替えスイッチを備えており、これら給電用凹形プラグ用切り替えスイッチがＲＥＭＯＴＥの場合に、対応する給電用凹形プラグに接続された電気機器への給電状態が、前記増設ユニット用凸形プラグを介して接続された一括操作スイッチ付き節電リモコンコンセントの基本ユニットの一括操作切り替えスイッチにより一括操作されるものであることを特徴としている。
【００２４】
上記節電リモコンコンセントの増設ユニット（１）によれば、前記給電用凹形プラグ用切り替えスイッチが、ＯＦＦ、ＲＥＭＯＴＥ、ＯＮの３つの給電状態に切り替え可能なため、ＯＦＦ、又はＯＮの設定により前記電気機器の給電を常時ＯＦＦ、又は常時ＯＮに設定することができる。
【００２５】
また、前記給電用凹形プラグ用切り替えスイッチがＲＥＭＯＴＥの場合に、対応する給電用凹形プラグに接続された電気機器への給電状態が、前記増設ユニット用凸形プラグを介して接続された一括操作スイッチ付き節電リモコンコンセントの基本ユニットの一括操作切り替えスイッチにより一括操作されるので、前記増設ユニットに前記一括操作切り替えスイッチを設けなくてもよく、前記リモコンの構成を簡略化することができるとともに、簡単な操作を維持することができる。
【００２６】
また、前記電線により前記タップと前記リモコンとが接続されているので、前記タップを接続機器裏面側へ設置し、前記リモコンを接続機器正面側へ設置することが可能となり、配線の見映えを悪くせず全操作スイッチを操作し易い様手元に設置することが可能となる。
【００２７】
また、パワーインジケータや、大半の種類の電力量計等の電力を消費するものを全く備えていないので、電力消費の無駄をなくし、本当の意味での節電が可能となる。
【００２８】
また本発明に係る節電リモコンコンセントの増設ユニット（２）は、上記節電リモコンコンセントの増設ユニット（１）において、前記タップが、増設ユニット用凹形プラグを備えていることを特徴としている。
【００２９】
上記節電リモコンコンセントの増設ユニット（２）によれば、前記タップが、前記増設ユニット用凹形プラグを備えているので、前記基本ユニットの一括操作切り替えスイッチにより一括操作される増設ユニットの追加装備が可能となり、結果、簡単な操作を維持しつつ、許容電流の範囲内で接続機器数の増加に対応することが可能となる。
【００３０】
また本発明に係る節電リモコンコンセントの増設ユニット（３）は、上記節電リモコンコンセントの増設ユニット（１）又は（２）において、前記複数の給電用凹形プラグ用切り替えスイッチが、ＲＥＭＯＴＥとＯＮとの切り替え時の各接点の導通がオーバーラップするように構成されているものであることを特徴としている。
【００３１】
上記節電リモコンコンセントの増設ユニット（３）によれば、上記一括操作スイッチ付き節電リモコンコンセントの基本ユニット（３）と略同様の効果を得ることができる。
【００３２】
また本発明に係る節電リモコンコンセントの増設ユニット（４）は、上記節電リモコンコンセントの増設ユニット（１）〜（３）のいずれかにおいて、前記タップと、前記リモコンとには、前記複数の給電用凹形プラグと、前記複数の給電用凹形プラグ用切り替えスイッチとの対応記号が付されており、前記リモコンが、前記複数の給電用凹形プラグ用切り替えスイッチ毎に記入可能な空白銘板を備えていることを特徴としている。
【００３３】
上記節電リモコンコンセントの増設ユニット（４）によれば、上記一括操作スイッチ付き節電リモコンコンセントの基本ユニット（４）と略同様の効果を得ることができる。
【００３４】
また本発明に係る節電リモコンコンセントの増設ユニット（５）は、上記節電リモコンコンセントの増設ユニット（１）〜（４）のいずれかにおいて、前記受電用凸形プラグ、及び／又は前記リモコンが、前記電線を介して前記タップに着脱可能なものであることを特徴としている。
【００３５】
上記節電リモコンコンセントの増設ユニット（５）によれば、上記一括操作スイッチ付き節電リモコンコンセントの基本ユニット（５）と略同様の効果を得ることができる。
【００３６】
また本発明に係る節電用設備機器は、上記一括操作スイッチ付き節電リモコンコンセントの基本ユニット（１）〜（５）のいずれかが組み込まれていることを特徴としている。
【００３７】
上記節電用設備機器によれば、上記一括操作スイッチ付き節電リモコンコンセントの基本ユニット（１）〜（５）のいずれかの機構を設備（住宅等）に組み込み使用することにより、応用範囲を広げることができ、結果、各種設備における節電を推進させることができる。
【００３８】
【発明の実施の形態】
以下、本発明に係る一括操作スイッチ付き節電リモコンコンセントの基本ユニット（以下、基本ユニットと記す）、節電リモコンコンセントの増設ユニット（以下、増設ユニットと記す）、及び節電用設備機器の実施の形態を図面に基づいて説明する。
【００３９】
図１は実施の形態に係る基本ユニットを模式的に示した図であり、図２は実施の形態に係る増設ユニットを模式的に示した図であり、図３は実施の形態に係る基本ユニットの電気回路図であり、図４は実施の形態に係る増設ユニットの電気回路図である。なお、本実施の形態では、電源として日本国内の単相、２線式、ＡＣ１００〔Ｖ〕の商用電源を使用し、電源遮断される対象接続機器としてＡＶ機器等の家電機器が接続される場合について説明する。
【００４０】
図１に示した基本ユニットは、複数のアース極Ｅ付き給電用凹形プラグＰ１２、Ｐ１３、Ｐ１４、Ｐ１５、Ｐ１６、Ｐ１７と、アース極Ｅ付き増設ユニット用凹形プラグＰ１８とを備えたタップＴＡＰ１１と、タップＴＡＰ１１へ電線（コード）Ｗ１１により接続されるアース極Ｅ付き受電用凸形プラグＰ１１と、タップＴＡＰ１１へ電線（コード）Ｗ１２により接続されるリモコンＲＣ１１とを含んで構成されている。
【００４１】
リモコンＲＣ１１は、給電用凹形プラグＰ１２〜Ｐ１７に対応してＯＦＦ、ＲＥＭＯＴＥ、ＯＮの３つの給電状態に切り替え可能な複数のアース極Ｅ付き給電用凹形プラグ用切り替えスイッチＣＳ１１、ＣＳ１２、ＣＳ１３、ＣＳ１４、ＣＳ１５、ＣＳ１６と、これら給電用凹形プラグ用切り替えスイッチＣＳ１１〜ＣＳ１６がＲＥＭＯＴＥの場合に、対応する給電用凹形プラグＰ１２〜Ｐ１７に接続された家電機器への給電状態を「ＯＦＦか、ＯＮ」により一括操作するとともに、増設ユニット用凹形プラグＰ１８を介して接続された増設ユニット（図２参照）の一括操作も可能な一括操作切り替えスイッチＣＳ１７とを含んで構成されている。
【００４２】
また、給電用凹形プラグ用切り替えスイッチＣＳ１１〜ＣＳ１６は、ＲＥＭＯＴＥとＯＮとの切り替え時の各接点の導通がオーバーラップするように構成されている。
【００４３】
さらに、タップＴＡＰ１１と、リモコンＲＣ１１とには、アース極Ｅ付き給電用凹形プラグＰ１２〜Ｐ１７と、給電用凹形プラグ用切り替えスイッチＣＳ１１〜ＣＳ１６との対応記号（図１における１〜６）が付されており、リモコンＲＣ１１には、給電用凹形プラグ用切り替えスイッチＣＳ１１〜ＣＳ１６毎に記入可能な空白銘板が設けられている。
【００４４】
図２に示した増設ユニットは、複数のアース極Ｅ付き給電用凹形プラグＰ２２、Ｐ２３、Ｐ２４、Ｐ２５と、アース極Ｅ付き増設ユニット用凹形プラグＰ２６とを備えたタップＴＡＰ２１と、タップＴＡＰ２１へ電線（コード）Ｗ２１により接続されるアース極Ｅ付き増設ユニット用凸形プラグＰ２１と、タップＴＡＰ２１へ電線（コード）Ｗ２２により接続されるリモコンＲＣ２１とを含んで構成されている。アース極Ｅ付き増設ユニット用凸形プラグＰ２１は、図１に示した基本ユニットのタップＴＡＰ１１に設けられた増設ユニット用凹形プラグＰ１８に接続されるようになっている。
【００４５】
また、リモコンＲＣ２１は、複数の給電用凹形プラグＰ２２〜Ｐ２５に対応してＯＦＦ、ＲＥＭＯＴＥ、ＯＮの３つの給電状態に切り替え可能な複数のアース極Ｅ付き給電用凹形プラグ用切り替えスイッチＣＳ２１、ＣＳ２２、ＣＳ２３、ＣＳ２４を備えており、これら給電用凹形プラグ用切り替えスイッチＣＳ２１〜ＣＳ２４がＲＥＭＯＴＥの場合に、対応する給電用凹形プラグＰ２２〜Ｐ２５に接続された電気機器への給電状態が、増設ユニット用凸形プラグＰ２１を介して接続された基本ユニット（図１参照）の一括操作切り替えスイッチＣＳ１７により一括操作されるように構成されている。
【００４６】
また、給電用凹形プラグ用切り替えスイッチＣＳ２１〜ＣＳ２４は、ＲＥＭＯＴＥとＯＮとの切り替え時の各接点の導通がオーバーラップするように構成されている。
【００４７】
さらに、タップＴＡＰ２１と、リモコンＲＣ２１とには、アース極Ｅ付き給電用凹形プラグＰ２２〜Ｐ２５と、給電用凹形プラグ用切り替えスイッチＣＳ２１〜ＣＳ２４との対応記号（図２における１〜４）が付されており、リモコンＲＣ２１には、給電用凹形プラグ用切り替えスイッチＣＳ２１〜ＣＳ２４毎に記入可能な空白銘板が設けられている。
【００４８】
次に図３に示した基本ユニットの電気回路図と図４に示した増設ユニットの電気回路図とに基づいて、基本ユニットと増設ユニットとの動作について説明する。
【００４９】
基本ユニットのタップＴＡＰ１１に多数の電気機器が接続され、これら電気機器に、給電を常時ＯＦＦにしておきたいものと、その場から離れたり、戻る度に給電をＯＦＦ又はＯＮに切り替えたいものと、給電を常時ＯＮにしておきたいもの（給電をＯＦＦにすると記憶が消えてしまう機器等）とが含まれている場合、給電を常時ＯＦＦにしておきたい電気機器は、対応する給電用凹形プラグ用切り替えスイッチＣＳ１１〜ＣＳ１６をＯＦＦに、給電を常時ＯＮにしておきたい電気機器は、対応する給電用凹形プラグ用切り替えスイッチＣＳ１１〜ＣＳ１６をＯＮに設定しておく。さらに、その場から離れたり、戻る度に給電をＯＦＦ又はＯＮに切り替えたい電気機器は、対応する給電用凹形プラグ用切り替えスイッチＣＳ１１〜ＣＳ１６をＲＥＭＯＴＥに設定しておく。
【００５０】
このような設定をしておけば、一括操作切り替えスイッチＣＳ１７のＯＦＦ又はＯＮへの切り替えにより、給電用凹形プラグ用切り替えスイッチＣＳ１１〜ＣＳ１６の内ＲＥＭＯＴＥに設定されている給電用凹形プラグＰ１２〜Ｐ１７に接続されている電気機器への給電のＯＦＦ又はＯＮへの一括操作が行われることとなる。
【００５１】
また、一括操作切り替えスイッチＣＳ１７により、増設ユニット用凹形プラグＰ１８を介して接続された増設ユニットの一括操作も可能となる。すなわち、増設ユニットのタップＴＡＰ２１に多数の電気機器が接続され、これら電気機器に、給電を常時ＯＦＦにしておきたいものと、その場から離れたり、戻る度に給電をＯＦＦ又はＯＮに切り替えたいものと、給電を常時ＯＮにしておきたいものとが含まれている場合、給電を常時ＯＦＦにしておきたい電気機器は、対応する給電用凹形プラグ用切り替えスイッチＣＳ２１〜ＣＳ２４をＯＦＦに、給電を常時ＯＮにしておきたい電気機器は、対応する給電用凹形プラグ用切り替えスイッチＣＳ２１〜ＣＳ２４をＯＮに設定しておく。さらに、その場から離れたり、戻る度に給電をＯＦＦ又はＯＮに切り替えたい電気機器は、対応する給電用凹形プラグ用切り替えスイッチＣＳ２１〜ＣＳ２４をＲＥＭＯＴＥに設定しておく。
【００５２】
このような設定をしておけば、基本ユニットの一括操作切り替えスイッチＣＳ１７のＯＦＦ又はＯＮへの切り替えにより、給電用凹形プラグ用切り替えスイッチＣＳ２１〜ＣＳ２４の内ＲＥＭＯＴＥに設定されている給電用凹形プラグＰ２２〜Ｐ２５に接続されている電気機器への給電のＯＦＦ又はＯＮへの一括操作も行われることとなる。
【００５３】
上記実施の形態に係る基本ユニットによれば、給電用凹形プラグ用切り替えスイッチＣＳ１１〜ＣＳ１６が、ＯＦＦ、ＲＥＭＯＴＥ、ＯＮの３つの給電状態に切り替え可能なため、ＯＦＦ、又はＯＮの設定により前記電気機器の給電を常時ＯＦＦ、又は常時ＯＮに設定することができる。また、一括操作切り替えスイッチＣＳ１７により、給電用凹形プラグ用切り替えスイッチＣＳ１１〜ＣＳ１６のいずれかがＲＥＭＯＴＥの場合に、電気機器への給電のＯＦＦ又はＯＮへの一括操作を行うことができる。
【００５４】
したがって、給電を常時ＯＦＦ、常時ＯＮ、及びその場から離れたり、戻る度に給電をＯＦＦ又はＯＮに切り替えたい電気機器が含まれている場合でも、電気機器ごとに給電の「ＯＦＦか、ＯＮ」を毎回判断して操作しなくても、一括操作切り替えスイッチＣＳ１７の操作だけで、簡単に所望とする電源遮断状態に設定することができ、操作を軽減させることができる。
【００５５】
また、一括操作切り替えスイッチＣＳ１７により、増設ユニット用凹形プラグＰ１８を介して接続された増設ユニットの一括操作も可能となる。結果、簡単な操作を維持しつつ、許容電流の範囲内で接続機器数の増加に対応することができる。また、電線Ｗ１２によりタップＴＡＰ１１とリモコンＲＣ１１とが接続されているので、タップＴＡＰ１１を接続機器裏面側へ設置し、リモコンＲＣ１１を接続機器正面側へ設置することが可能となり、配線の見映えを悪くせず全操作スイッチを操作し易い様手元に設置することが可能となる。また、増設ユニットにおいても、電線Ｗ２２によりタップＴＡＰ２１とリモコンＲＣ２１とが接続されているので、上記と同様の効果を得ることができる。
【００５６】
また、基本ユニット、増設ユニットともに、パワーインジケータや、大半の種類の電力量計等の電力を消費するものを全く備えていないので、電力消費の無駄をなくし、本当の意味での節電が可能となる。
【００５７】
また、給電用凹形プラグ用切り替えスイッチＣＳ１１〜ＣＳ１６は、ＲＥＭＯＴＥとＯＮとの切り替え時の各接点の導通がオーバーラップするように構成されているので、一括操作切り替えスイッチＣＳ１７がＯＮの場合にＲＥＭＯＴＥ又はＯＮへの切り替え時の接続機器への給電の無遮断を可能とし、結果、受電のＯＦＦにより再起動が必要な接続機器の再起動という不要な操作をなくすことができるとともに、受電のＯＦＦからＯＮにより突入電流を生じる接続機器の不要な電力消費や劣化を防止することができる。また、増設ユニットにおいても、給電用凹形プラグ用切り替えスイッチＣＳ２１〜ＣＳ２４が、ＲＥＭＯＴＥとＯＮとの切り替え時の各接点の導通がオーバーラップするように構成されているので、上記と同様の効果を得ることができる。
【００５８】
また、タップＴＡＰ１１と、リモコンＲＣ１１とには、給電用凹形プラグＰ１２〜Ｐ１７と、給電用凹形プラグ用切り替えスイッチＣＳ１１〜ＣＳ１６との対応記号が付されており、リモコンＲＣ１１が、給電用凹形プラグ用切り替えスイッチＣＳ１１〜ＣＳ１６毎に記入可能な空白銘板を備えているので、給電用凹形プラグＰ１２〜Ｐ１７と、給電用凹形プラグ用切り替えスイッチＣＳ１１〜ＣＳ１６と、接続機器との対応を明確にすることができ、結果、操作性を向上させることができる。また、増設ユニットにおいても、タップＴＡＰ２１と、リモコンＲＣ２１とには、給電用凹形プラグＰ２２〜Ｐ２５と、給電用凹形プラグ用切り替えスイッチＣＳ２１〜ＣＳ２４との対応記号が付されており、リモコンＲＣ２１が、給電用凹形プラグ用切り替えスイッチＣＳ２１〜ＣＳ２４毎に記入可能な空白銘板を備えているので、上記と同様の効果を得ることができる。
【００５９】
また、実施の形態に係る増設ユニットによれば、給電用凹形プラグ用切り替えスイッチＣＳ２１〜ＣＳ２４が、ＯＦＦ、ＲＥＭＯＴＥ、ＯＮの３つの給電状態に切り替え可能なため、ＯＦＦ、又はＯＮの設定により電気機器の給電を常時ＯＦＦ、又は常時ＯＮに設定することができる。又、給電用凹形プラグ用切り替えスイッチＣＳ２１〜ＣＳ２４のいずれかがＲＥＭＯＴＥの場合に、対応する給電用凹形プラグＰ２２〜Ｐ２５に接続された電気機器への給電状態が、増設ユニット用凸形プラグＰ２１を介して接続された基本ユニットの一括操作切り替えスイッチＣＳ１７により一括操作されるので、増設ユニットに一括操作切り替えスイッチＣＳ１７と同一機能を有するスイッチを設けなくてもよく、リモコンＲＣ２１の構成を簡略化することができるとともに、簡単な操作を維持することができる。
【００６０】
また、タップＴＡＰ２１が、増設ユニット用凹形プラグＰ２６を備えているので、基本ユニットの一括操作切り替えスイッチＣＳ１７により一括操作される増設ユニットの追加装備が可能となり、結果、簡単な操作を維持しつつ、許容電流の範囲内で接続機器数の増加に対応することができる。
【００６１】
なお、上記実施の形態に係る基本ユニットと、増設ユニットとの構成は、給電用凹形プラグＰ１２〜Ｐ１７、Ｐ２２〜Ｐ２５の数や、給電用凹形プラグ用切り替えスイッチＣＳ１１〜ＣＳ１６、ＣＳ２１〜ＣＳ２４の数や、使用電源の種類や、アース極Ｅの有無や、プラグＰ１１〜Ｐ１８、Ｐ２１〜Ｐ２６、給電用凹形プラグ用切り替えスイッチＣＳ１１〜ＣＳ１６、ＣＳ２１〜ＣＳ２４、一括操作切り替えスイッチＣＳ１７、電線Ｗ１１、Ｗ１２、Ｗ２１、Ｗ２２、タップ外箱又はリモコン外箱の種類や、給電用凹形プラグ用切り替えスイッチＣＳ１１〜ＣＳ１６、ＣＳ２１〜ＣＳ２４による電源の「片切りか、両切り」かの回路差等に何ら制限されるものではない。
【００６２】
また上記実施の形態に係る基本ユニットでは、受電用凸形プラグＰ１１とリモコンＲＣ１１とが、電線Ｗ１１、Ｗ１２を介してタップＴＡＰ１１に固定接続されているが、別の実施の形態では、受電用凸形プラグＰ１１、及び／又はリモコンＲＣ１１が、電線Ｗ１１、Ｗ１２を介してタップＴＡＰ１１に着脱可能なものとしてもよく、例えば、タップＴＡＰ１１に着脱可能なものとして、電線Ｗ１１、Ｗ１２にコネクターが適用された場合は、電線Ｗ１１、Ｗ１２とタップＴＡＰ１１との着脱が可能となり、結果、壁等にコネクターが通る位の穴を空け、そこに電線Ｗ１１、Ｗ１２を通して設置することが可能となる。また、増設ユニットにおいても、増設ユニット用凸形プラグＰ２１、及び／又はリモコンＲＣ２１を、電線Ｗ２１、Ｗ２２を介してタップＴＡＰ２１に着脱可能なものとしてもよく、上記と同様の効果を得ることができる。
【００６３】
さらに、本実施の形態に係る基本ユニットの機構や、基本ユニットに増設ユニットを接続した機構を住宅等の設備機器として組み込み使用することにより、応用範囲を広げることができ、結果、各種設備における節電を推進させることが可能となる。
【図面の簡単な説明】
【図１】本発明の実施の形態に係る基本ユニットを模式的に示した図である。
【図２】本発明の実施の形態に係る増設ユニットを模式的に示した図である。
【図３】実施の形態に係る基本ユニットの電気回路図である。
【図４】実施の形態に係る増設ユニットの電気回路図である。
【符号の説明】
（基本ユニット）
ＴＡＰ１１    タップ
ＲＣ１１    リモコン
Ｐ１１    受電用凸形プラグ
Ｐ１２、Ｐ１３、Ｐ１４、Ｐ１５、Ｐ１６、Ｐ１７    給電用凹形プラグ
Ｐ１８    増設ユニット用凹形プラグ
ＣＳ１１、ＣＳ１２、ＣＳ１３、ＣＳ１４、ＣＳ１５、ＣＳ１６    給電用凹形
プラグ用切り替えスイッチ
ＣＳ１７    一括操作切り替えスイッチ
Ｗ１１、Ｗ１２    電線
Ｅ    アース極
（増設ユニット）
ＴＡＰ２１    タップ
ＲＣ２１    リモコン
Ｐ２１    増設ユニット用凸形プラグ
Ｐ２２、Ｐ２３、Ｐ２４、Ｐ２５    給電用凹形プラグ
Ｐ２６    増設ユニット用凹形プラグ
ＣＳ２１、ＣＳ２２、ＣＳ２３、ＣＳ２４    給電用凹形プラグ用切り替えスイッチ
Ｗ２１、Ｗ２２    電線
Ｅ    アース極